【手続補正書】
【提出日】平成17年9月29日(2005.9.29)
【手続補正１】
【補正対象書類名】明細書
【補正対象項目名】特許請求の範囲
【補正方法】変更
【補正の内容】
【特許請求の範囲】
【請求項１】  画像を撮像する撮像手段と、
前記撮像手段で撮像された画像を記録媒体に記録する画像記録手段と、
複数の動作モードから１つを選択して設定する動作モード設定手段と、
前記撮像手段で撮像している画像や前記画像記録手段に記録された画像を表示する画像表示手段と、
前記複数の動作モードに対応した互いに異なる複数の検索条件を有し、該複数の検索条件の何れかを設定された前記動作モードに対応して選択し、該選択された検索条件に従って前記画像記録手段に記録された画像を検索する検索手段とを有し、
前記検索手段により検索された画像を前記画像表示手段に表示することを特徴とする画像記録装置。
【請求項２】  前記動作モードが、撮像された画像を前記記録媒体に記録する撮影記録モードに設定されている場合には、前記検索手段において前記撮影記録モードに対応して設定された検索条件に従って前記記録媒体に記録されている画像を検索し、
前記動作モードが、前記記録媒体に記録された画像を再生する再生モードに設定されている場合には、前記検索手段において検索条件を設定せずに前記記録媒体に記録されている画像を全て検索すること特徴とする請求項１に記載の画像記録装置。
【請求項３】  前記画像記録手段において、記録される画像に対応して、画像を区別するための画像番号情報、画像の画質設定情報、画像のサイズ情報、画像の撮影日時情報、画像の消去許可／不許可設定情報などの複数種の付加情報が、画像データと共に記録媒体に記録され、
前記検索手段において、前記動作モードに対応して前記複数種の付加情報のうち少なくとも１種の付加情報に基づいて検索条件を設定し、設定された検索条件に従って前記画像記録手段に記録された画像を検索することを特徴とする請求項１に記載の画像記録装置。
【請求項４】  前記動作モードが、撮影された画像を前記記録媒体に記録する撮影記録モードに設定されている場合には、前記検索手段において現在設定されている画像の画質設定情報あるいはサイズ情報に従って検索条件を設定し、前記記録媒体に記録されている画像のうち、現在設定されている画像の画質設定情報あるいはサイズ情報と同じ画質設定あるいはサイズで記録された画像を検索することを特徴とする請求項３に記載の画像記録装置。
【請求項５】  前記画像表示手段に前記検索手段により検索された画像を表示する場合に、前記検索条件と一致しない画像については、データの存在だけは分かるように代替表示する事を特徴とする請求項１に記載の画像記録装置。
【請求項６】  画像を撮像する撮像ステップと、
前記撮像ステップで撮像された画像を記録媒体に記録する画像記録ステップと、
複数の動作モードから１つを選択して設定する動作モード設定ステップと、
前記撮像ステップで撮像している画像や前記画像記録ステップで記録された画像を表示する画像表示ステップと、
前記複数の動作モードに対応した互いに異なる複数の検索条件を有し、該複数の検索条件の何れかを設定された前記動作モードに対応して選択し、該選択された検索条件に従って前記画像記録手段に記録された画像を検索する検索ステップとを有し、
前記検索ステップにより検索された画像を前記画像表示ステップで表示することを特徴とする画像記録方法。
【請求項７】  前記動作モードが、撮像された画像を前記記録媒体に記録する撮影記録モードに設定されている場合には、前記検索ステップにおいて前記撮影記録モードに対応して設定された検索条件に従って前記記録媒体に記録されている画像を検索し、
前記動作モードが、前記記録媒体に記録された画像を再生する再生モードに設定されている場合には、前記検索ステップにおいて検索条件を設定せずに前記記録媒体に記録されている画像を全て検索すること特徴とする請求項６に記載の画像記録方法。
【請求項８】  前記画像表示ステップで前記検索ステップにより検索された画像を表示する場合に、前記検索条件と一致しない画像については、データの存在だけは分かるように代替表示する事を特徴とする請求項６に記載の画像記録方法。
【手続補正２】
【補正対象書類名】明細書
【補正対象項目名】０００９
【補正方法】変更
【補正の内容】
【０００９】
【課題を解決するための手段】
上記目的を達成するために、本発明の請求項１に記載の画像記録装置は、画像を撮像する撮像手段と、前記撮像手段で撮像された画像を記録媒体に記録する画像記録手段と、複数の動作モードから１つを選択して設定する動作モード設定手段と、前記撮像手段で撮像している画像や前記画像記録手段に記録された画像を表示する画像表示手段と、前記複数の動作モードに対応した互いに異なる複数の検索条件を有し、該複数の検索条件の何れかを設定された前記動作モードに対応して選択し、該選択された検索条件に従って前記画像記録手段に記録された画像を検索する検索手段とを有し、前記検索手段により検索された画像を前記画像表示手段に表示することを特徴とする。
【手続補正３】
【補正対象書類名】明細書
【補正対象項目名】００１０
【補正方法】変更
【補正の内容】
【００１０】
請求項２に記載の画像記録装置は、請求項１に係る画像記録装置において、前記動作モードが、撮像された画像を前記記録媒体に記録する撮影記録モードに設定されている場合には、前記検索手段において前記撮影記録モードに対応して設定された検索条件に従って前記記録媒体に記録されている画像を検索し、前記動作モードが、前記記録媒体に記録された画像を再生する再生モードに設定されている場合には、前記検索手段において検索条件を設定せずに前記記録媒体に記録されている画像を全て検索すること特徴とする。
【手続補正４】
【補正対象書類名】明細書
【補正対象項目名】００１１
【補正方法】変更
【補正の内容】
【００１１】
請求項３に記載の画像記録装置は、請求項１に係る画像記録装置の前記画像記録手段において、記録される画像に対応して、画像を区別するための画像番号情報、画像の画質設定情報、画像のサイズ情報、画像の撮影日時情報、画像の消去許可／不許可設定情報などの複数種の付加情報が、画像データと共に記録媒体に記録され、前記検索手段において、前記動作モードに対応して前記複数種の付加情報のうち少なくとも１種の付加情報に基づいて検索条件を設定し、設定された検索条件に従って前記画像記録手段に記録された画像を検索することを特徴とする。
【手続補正５】
【補正対象書類名】明細書
【補正対象項目名】００１２
【補正方法】変更
【補正の内容】
【００１２】
請求項４に記載の画像記録装置は、請求項３に係る画像記録装置において、前記装置の動作モードが、撮像された画像を記録媒体に記録する撮影記録モードに設定されている場合には、前記検索手段において現在設定されている画像の画質設定情報あるいはサイズ情報に従って検索条件を設定し、前記記録媒体に記録されている画像のうち、現在設定されている画像の画質設定情報あるいはサイズ情報と同じ画質設定あるいはサイズで記録された画像を検索することを特徴とする。
【手続補正６】
【補正対象書類名】明細書
【補正対象項目名】００１３
【補正方法】変更
【補正の内容】
【００１３】
請求項５に記載の画像記録装置は、請求項１に係る画像記録装置の前記画像表示手段において、前記検索手段により検索された画像を表示する場合に、前記検索条件と一致しない画像については、データの存在だけは分かるように代替表示することを特徴とする。
【手続補正７】
【補正対象書類名】明細書
【補正対象項目名】００１４
【補正方法】変更
【補正の内容】
【００１４】
請求項６に記載の画像記録方法は、画像を撮像する撮像ステップと、前記撮像ステップで撮像された画像を記録媒体に記録する画像記録ステップと、複数の動作モードから１つを選択して設定する動作モード設定ステップと、前記撮像ステップで撮像している画像や前記画像記録ステップで記録された画像を表示する画像表示ステップと、前記複数の動作モードに対応した互いに異なる複数の検索条件を有し、該複数の検索条件の何れかを設定された前記動作モードに対応して選択し、該選択された検索条件に従って前記画像記録手段に記録された画像を検索する検索ステップとを有し、前記検索ステップにより検索された画像を前記画像表示ステップで表示することを特徴とする。
【手続補正８】
【補正対象書類名】明細書
【補正対象項目名】００１５
【補正方法】変更
【補正の内容】
【００１５】
請求項７に記載の画像記録方法は、請求項６に係る画像記録方法において、前記動作モードが、撮像された画像を前記記録媒体に記録する撮影記録モードに設定されている場合には、前記検索ステップにおいて前記撮影記録モードに対応して設定された検索条件に従って前記記録媒体に記録されている画像を検索し、前記動作モードが、前記記録媒体に記録された画像を再生する再生モードに設定されている場合には、前記検索ステップにおいて検索条件を設定せずに前記記録媒体に記録されている画像を全て検索することを特徴とする。
【手続補正９】
【補正対象書類名】明細書
【補正対象項目名】００１６
【補正方法】変更
【補正の内容】
【００１６】
請求項８に記載の画像記録方法は、請求項６に係る画像記録方法の前記画像表示ステップにおいて、前記検索ステップにより検索された画像を表示する場合に、前記検索条件と一致しない画像については、データの存在だけは分かるように代替表示することを特徴とする。
【手続補正１０】
【補正対象書類名】明細書
【補正対象項目名】００７８
【補正方法】変更
【補正の内容】
【００７８】
【発明の効果】
以上説明したように、本発明の請求項１に記載の画像記録装置によれば、画像を撮像する撮像手段と、撮像手段で撮像された画像を記録媒体に記録する画像記録手段と、複数の動作モードから１つを選択して設定する動作モード設定手段と、撮像手段で撮像している画像や画像記録手段に記録された画像を表示する画像表示手段と、複数の動作モードに対応した互いに異なる複数の検索条件を有し、複数の検索条件の何れかを設定された動作モードに対応して選択し、該選択された検索条件に従って画像記録手段に記録された画像を検索する検索手段とを有し、検索手段により検索された画像を画像表示手段に表示するようにしたことにより、装置の使用状況に応じて記録された画像の中から目的の画像を速やかに検索し、その内容を確認することが可能になるという効果が得られる。
【手続補正１１】
【補正対象書類名】明細書
【補正対象項目名】００７９
【補正方法】変更
【補正の内容】
【００７９】
請求項２及び７に記載の画像記録装置及び画像記録方法によれば、請求項１に係る画像記録装置或いは請求項６に係る画像記録方法において、動作モードが、撮像された画像を記録媒体に記録する撮影記録モードに設定されている場合には、検索手段において撮影記録モードに対応して設定された検索条件に従って記録媒体に記録されている画像を検索し、動作モードが、記録媒体に記録された画像を再生する再生モードに設定されている場合には、検索手段において検索条件を設定せずに記録媒体に記録されている画像を全て検索するようにした。これにより、撮影記録モード時、既に記録された画像データを確認したい場合に、多くの画像データの中から目的の画像データを素早く且つ自動的に検索して確認することができ、特に記録媒体の記録容量が不足し、至急に不要な画像データを消去する必要が生じた場合には、該記録媒体に記録されている画像データの中から消去しても良い画像データだけを素早く検索確認することができ、不要な画像データを瞬時に選択し消去することができるようになるという効果が得られる。
【手続補正１２】
【補正対象書類名】明細書
【補正対象項目名】００８０
【補正方法】変更
【補正の内容】
【００８０】
請求項３に記載の画像記録装置によれば、請求項１に係る画像記録装置の画像記録手段において、記録される画像に対応して、画像を区別するための画像番号情報、画像の画質設定情報、画像のサイズ情報、画像の撮影日時情報、画像の消去許可／不許可設定情報などの複数種の付加情報が、画像データと共に記録媒体に記録され、検索手段においては、装置の動作モードに対応して複数種の付加情報のうち少なくとも１種の付加情報に基づいて検索条件を設定し、設定された検索条件に従って画像記録手段に記録された画像を検索するようにしたことにより、装置の使用状況に応じて記録された画像の中から目的の画像を速やかに検索することが可能となるという効果が得られる。
【手続補正１３】
【補正対象書類名】明細書
【補正対象項目名】００８１
【補正方法】変更
【補正の内容】
【００８１】
請求項４に記載の画像記録装置は、請求項３に係る画像記録装置において、装置の動作モードが、撮影された画像を記録媒体に記録する撮影記録モードに設定されている場合には、検索手段において現在の撮影記録モードにおいて設定されている画像の画質設定情報あるいはサイズ情報に対応して設定された検索条件に従って、記録媒体に記録されている画像のうち、現在の撮影記録モードにおいて設定されている画像の画質設定情報あるいはサイズ情報と同じ画質設定あるいはサイズで記録された画像を検索することを可能とした。これにより、記録された画像の中から記録媒体に記録する際に同じ設定で記録された画像を速やかに検索することが可能になるという効果が得られる。
【手続補正１４】
【補正対象書類名】明細書
【補正対象項目名】００８２
【補正方法】変更
【補正の内容】
【００８２】
請求項５に記載の画像記録装置によれば、請求項１に係る画像記録装置の画像表示手段において、検索手段により検索された画像を表示する場合に、検索条件と一致しない画像については、データの存在だけは分かるように代替表示するようにした。これにより、表示手段に過剰な負荷をかけることなく、記録された画像の中の検索条件と一致しないデータの存在が使用者に分かるようになり、設定された検索条件の妥当性や記録媒体中の全体像が確認可能になるという効果が得られる。
【手続補正１５】
【補正対象書類名】明細書
【補正対象項目名】００８３
【補正方法】変更
【補正の内容】
【００８３】
請求項６に記載の画像記録方法は、画像を撮像する撮像ステップと、撮像ステップで撮像された画像を記録媒体に記録する画像記録ステップと、複数の動作モードから１つを選択して設定する動作モード設定ステップと、撮像ステップで撮像している画像や画像記録ステップで記録された画像を表示する画像表示ステップと、複数の動作モードに対応した互いに異なる複数の検索条件を有し、複数の検索条件の何れかを設定された前記動作モードに対応して選択し、選択された検索条件に従って画像記録手段に記録された画像を検索する検索ステップとを有し、検索ステップにより検索された画像を画像表示ステップで表示するようにしたことにより、装置の使用状況に応じて記録された画像の中から目的の画像を速やかに検索し、その内容を確認することが可能になるという効果が得られる。
【手続補正１６】
【補正対象書類名】明細書
【補正対象項目名】００８４
【補正方法】変更
【補正の内容】
【００８４】
請求項８に記載の画像記録方法によれば、請求項６に係る画像記録方法において、検索ステップにより検索された画像を表示する場合に、検索条件と一致しない画像については、データの存在だけは分かるように代替表示するようにした。これにより、表示ステップで過剰な負荷をかけることなく、記録された画像の中の検索条件と一致しないデータの存在が使用者に分かるようになり、設定された検索条件の妥当性や記録媒体中の全体像が確認可能になるという効果が得られる。